(57)【要約】【課題】クラッチ装置のコストを低減する。【解決手段】クラッチ装置は、クラッチハウジング２と、プレッシャ部材３と、摩擦材４と、を備えている。クラッチハウジング２は、円錐台状の受圧面２３を有する。受圧面２３は、径方向内側を向き、且つ、軸方向の第１側に向かって径が小さくなる。プレッシャ部材３は、受圧面２３に沿った円錐台状の押圧面３１を有する。押圧面３１は、受圧面２３の径方向内側に配置されている。摩擦材４は、受圧面２３と押圧面３１との間に配置される。受圧面２３の先端縁２３１は、押圧面３１の先端縁３１１よりも軸方向の第１側に配置される。【選択図】図２
2017061971.tif 000002
【特許請求の範囲】
【請求項１】
径方向内側を向き且つ軸方向の第１側に向かって径が小さくなる円錐台状の受圧面を有する、クラッチハウジングと、
前記受圧面の径方向内側に配置され且つ前記受圧面に沿った円錐台状の押圧面を有する、プレッシャ部材と、
前記受圧面と前記押圧面との間に配置される摩擦材と、
を備え、
前記受圧面の先端縁は、前記押圧面の先端縁よりも軸方向の第１側に配置される、
クラッチ装置。
【請求項２】
前記クラッチハウジングは、前記受圧面の先端縁から径方向内側に延びる突出部をさらに有している、
請求項１に記載のクラッチ装置。
【請求項３】
前記プレッシャ部材を前記第１側に付勢する付勢部材をさらに備える、
請求項１又は２に記載のクラッチ装置。
【請求項４】
前記付勢部材は、皿バネである、
請求項３に記載のクラッチ装置。
【発明の詳細な説明】
【技術分野】
【０００１】
本発明は、クラッチ装置に関するものである。
【背景技術】
【０００２】
一般に、モータサイクルには、エンジンからのトルクをトランスミッションに伝達又は遮断するためにクラッチ装置が用いられている。クラッチ装置は、クラッチハウジングと、回転体と、クラッチ部とを有している。クラッチハウジングはエンジンのクランク軸側に連結され、回転体はトランスミッション側に連結される。クラッチ部は、クラッチハウジングと回転体との間で、摩擦係合したり摩擦係合を解除したりすることによって、トルクを伝達又や遮断する。このクラッチ部は、摩擦力を向上させるために、複数枚のドライブプレートと複数のドリブンプレートとを有している。
【先行技術文献】
【特許文献】
【０００３】
【特許文献１】特開２００３−３２２１７７号公報
【発明の概要】
【発明が解決しようとする課題】
【０００４】
上述したように、従来のクラッチ装置は、ドライブプレート及びドリブンプレートを増やすことによって摩擦力を向上させている。しかし、ドライブプレート及びドリブンプレートを増やすことは、コストが高くなるという問題を生じさせる。
【０００５】
本発明の課題は、クラッチ装置のコストを低減することにある。
【課題を解決するための手段】
【０００６】
本発明のある側面に係るクラッチ装置は、クラッチハウジングと、プレッシャ部材と、摩擦材と、を備えている。クラッチハウジングは、円錐台状の受圧面を有する。受圧面は、径方向内側を向き、且つ、軸方向の第１側に向かって径が小さくなる。プレッシャ部材は、受圧面に沿った円錐台状の押圧面を有する。押圧面は、受圧面の径方向内側に配置されている。摩擦材は、受圧面と押圧面との間に配置される。受圧面の先端縁は、押圧面の先端縁よりも軸方向の第１側に配置される。
【０００７】
この構成によれば、クラッチハウジングの受圧面、及びプレッシャ部材の押圧面は、円錐台状である。そして、押圧面は受圧面に沿っている。このため、プレッシャ部材が軸方向に移動して、受圧面と押圧面とが摩擦材を介して互いに摩擦係合すると、くさびの原理によって、より強い摩擦力が受圧面及び押圧面に作用する。この結果、摩擦材を減らしても十分な摩擦力を得ることができ、ひいては低コスト化することができる。
【０００８】
また、本発明に係るクラッチ装置では、受圧面の先端縁が押圧面の先端縁よりも軸方向の第１側に配置されている。このため、オイルが噴霧された状態の環境下においてクラッチ装置を使用した場合であっても、摩擦材へオイルを十分に供給することができる。詳細に説明すると、オイルが噴霧された状態の環境下でクラッチ装置が回転すると、遠心力によってオイルが径方向外側へと飛ばされる。このため、径方向において受圧面と押圧面との間に配置された摩擦材へオイルが十分に供給されないおそれがある。しかしながら、本願発明では、受圧面の先端縁が押圧面の先端縁よりも軸方向の第１側に配置されているため、遠心力によって径方向外側へと飛ばされたオイルは受圧面に捕らえられる。そして、このオイルは、受圧面に沿って摩擦材へと導かれる。このため、摩擦材へオイルを十分に供給することができる。
【０００９】
クラッチハウジングは、受圧面の先端縁から径方向内側に延びる突出部をさらに有していてもよい。この構成によれば、より効率的にオイルを摩擦材へ供給することができる。
【００１０】
好ましくは、クラッチ装置は、プレッシャ部材を第１側に付勢する付勢部材をさらに備える。
【００１１】
好ましくは、付勢部材は、皿バネである。
【発明の効果】
【００１２】
本発明によれば、クラッチ装置のコストを低減することができる。
【図面の簡単な説明】
【００１３】
【図１】クラッチ装置の断面図。
【図２】受圧面と押圧面との詳細を示す断面図。
【図３】オイルが摩擦材へ導かれる様子を示す図。
【図４】変形例に係る受圧面と押圧面との詳細を示す断面図。
【図５】変形例に係る受圧面と押圧面との詳細を示す断面図。
【図６】変形例に係る受圧面と押圧面との詳細を示す断面図。
【発明を実施するための形態】
【００１４】
以下、本発明に係るクラッチ装置の実施形態について図面を参照しつつ説明する。図１は、クラッチ装置の断面図である。以下の説明において、軸方向とは、クラッチ装置の回転軸が延びる方向を示す。軸方向の第１側とは図１の上側を示し、軸方向の第２側とは図１の下側を示す。径方向とは、クラッチ装置の回転軸を中心とした円の径方向を示す。周方向とは、クラッチ装置の回転軸を中心とした円の周方向を示す。
【００１５】
図１に示すように、クラッチ装置１００は、回転軸Oを中心に回転可能である。クラッチ装置１００は、エンジンからのトルクをトランスミッションに伝達したり、その伝達を遮断したりするように構成されている。このクラッチ装置１００は、クラッチハウジング２、プレッシャ部材３、摩擦材４、回転体５、及び付勢部材６を備えている。
【００１６】
クラッチハウジング２は、円板部２１及び筒状部２２を備え、入力ギア１０に連結されている。この入力ギア１０は、エンジン（図示省略）で発生したトルクが入力される概ね環状の部材である。入力ギア１０は、エンジンからのトルクが伝達される駆動ギア（図示せず）に噛み合っている。
【００１７】
円板部２１は、軸方向の第２側に突出する複数の突起部２１ａを有している。各突起部２１ａは、周方向に所定の間隔で形成されている。円板部２１は、弾性部材を介して入力ギア１０に連結されている。なお、本実施形態では、円板部２１は、コイルスプリング１１を介して入力ギア１０に連結されている。円板部２１の複数の突起部２１ａ及びコイルスプリング１１は、入力ギア１０に形成された孔１０ａに挿入されている。また、クラッチハウジング２と入力ギア１０とは、プレート１２及びリベット１３を介して連結されている。コイルスプリング１１は、エンジンからの振動を吸収するために設けられたものである。
【００１８】
筒状部２２は、円板部２１から軸方向の第１側に延びるように形成されている。詳細には、筒状部２２は、円板部２１の外周端部から延びている。この筒状部２２は、円錐台状である。筒状部２２は受圧面２３を有している。受圧面２３は、筒状部２２の内周面であり、円錐台状である。詳細には、受圧面２３は、軸方向の第１側に向かって径が小さくなる円錐台状である。また、受圧面２３は、径方向内側を向いている。この受圧面２３と回転軸Oとがなす傾斜角αは、特に限定されるものではないが、例えば、約５〜４５度である。
【００１９】
プレッシャ部材３は、軸方向に移動可能である。プレッシャ部材３は、略円錐台状であって、筒状部２２の径方向内側に配置されている。また、プレッシャ部材３は、軸方向において、クラッチハウジング２の第１側に配置されている。詳細には、プレッシャ部材３は、クラッチハウジング２の円板部２１の第１側に配置されている。
【００２０】
プレッシャ部材３は、押圧面３１を有している。押圧面３１は、プレッシャ部材３の外周面であり、受圧面２３に沿った円錐台状である。押圧面３１は、受圧面２３の径方向内側に配置されている。押圧面３１は、摩擦材４を介して、受圧面２３と対向している。押圧面３１は、第１側に向かって径が小さくなる。押圧面３１は、径方向の外側を向いている。押圧面３１は、周方向において受圧面２３と平行に延びている。
【００２１】
図２に示すように、受圧面２３の先端縁２３１は、押圧面３１の先端縁３１１よりも軸方向の第１側に配置される。すなわち、受圧面２３が押圧面３１の先端縁３１１を越えて軸方向の第１側へと延びている。特に限定されるものではないが、例えば、軸方向において、受圧面２３の先端縁２３１と、押圧面３１の先端縁３１１との距離ｄは、２〜１０ｍｍ程度である。なお、受圧面２３の先端縁２３１は、軸方向の第１側に位置する受圧面２３の端縁である。また、押圧面３１の先端縁３１１は、軸方向の第１側に位置する押圧面３１の端縁である。
【００２２】
図１に示すように、プレッシャ部材３は、軸方向に貫通する貫通孔３２を有している。この貫通孔３２に、レリーズ機構（図示省略）が取り付けられる。貫通孔３２の一部はスプライン孔３２ａとなっている。すなわち、貫通孔３２の内周面に、軸方向に延びる複数の溝が形成されている。このスプライン孔３２ａに、回転体５がスプライン嵌合する。プレッシャ部材３は、軸方向の第２側に突出する環状の突出部３３を有している。
【００２３】
摩擦材４は、受圧面２３と押圧面３１との間に配置されている。摩擦材４は、例えば、押圧面３１に固定されている。この場合、摩擦材４は、受圧面２３と摩擦係合する。なお、摩擦材４は、押圧面３１ではなく受圧面２３に固定されていてもよい。この場合、摩擦材４は、押圧面３１と摩擦係合する。摩擦材４は、周方向において間隔をあけて断続的に設けられていてもよいし、周方向において連続して設けられていてもよい。なお、摩擦材４は、受圧面２３と一体的に形成されていてもよいし、押圧面３１と一体的に形成されていてもよい。
【００２４】
回転体５は、トランスミッション側に連結されている。詳細には、回転体５は、円筒状であって、軸方向に貫通するスプライン孔５１を有する。このスプライン孔５１に、トランスミッションの入力軸（図示省略）がスプライン嵌合する。
【００２５】
回転体５は、プレッシャ部材３と一体的に回転する。また、プレッシャ部材３は、回転体５に対して軸方向において相対移動可能である。詳細には、回転体５は、プレッシャ部材３の貫通孔３２のスプライン孔３２ａ内に配置されている。そして、回転体５は、プレッシャ部材３とスプライン嵌合している。回転体５と円板部２１との間にはワッシャ１４が配置されている。
【００２６】
付勢部材６は、プレッシャ部材３を軸方向の第１側に付勢している。付勢部材６は、例えば少なくとも１つの皿バネである。付勢部材６は、複数の皿バネであってもよい。この付勢部材６は、回転体５の径方向外側に配置されている。すなわち、付勢部材６の開口部内に、回転体５が配置されている。付勢部材６は、軸方向の第１側に向かって径が大きくなっている。そして、付勢部材６は、軸方向において、プレッシャ部材３とクラッチハウジング２との間に配置されている。詳細には、付勢部材６は、プレッシャ部材３とクラッチハウジング２の円板部２１との間に配置されている。なお、付勢部材６とクラッチハウジング２との間にはワッシャ１４が配置されている。すなわち、付勢部材６の一方の端部はワッシャ１４に当接し、付勢部材６の他方の端部はプレッシャ部材３に当接している。詳細には、付勢部材６の他方の端部は、プレッシャ部材３の突出部３３に当接している。
【００２７】
次に、クラッチ装置１００の動作について説明する。レリーズ機構によってレリーズ操作がなされていない状態では、付勢部材６によって、プレッシャ部材３が軸方向の第１側に付勢されている。これによって、押圧面３１に固定された摩擦材４が、受圧面２３と摩擦係合する。この結果、クラッチハウジング２からのトルクがプレッシャ部材３、及び回転体５に伝達される。
【００２８】
次にレリーズ機構によってレリーズ操作がなされると、プレッシャ部材３が、付勢部材６の付勢力に抗して、軸方向の第２側に移動する。これによって、押圧面３１が受圧面２３から離れる方向に移動する。この結果、摩擦材４と受圧面２３とが互いに離れ、摩擦係合が解除される。この結果、クラッチ装置１００はクラッチオフの状態となり、クラッチハウジング２からのトルクは、プレッシャ部材３及び回転体５へと伝達されない。
【００２９】
本実施形態に係るクラッチ装置１００は、くさびの原理によって、押圧面３１が摩擦材４を受圧面２３に対して押圧する力を増加させることができ、ひいては、摩擦材４と受圧面２３との摩擦力を増加させることができる。この結果、従来のクラッチ装置に比べて、本実施形態に係るクラッチ装置１００は、摩擦材４を少なくすることができ、ひいては、低コスト化を達成することができる。
【００３０】
また、従来のクラッチ装置は、複数のドライブプレート及びドリブンプレートを有していたため、クラッチオフさせるためには、各ドライブプレートと各ドリブンプレートとを互いに離す必要がある。このため、プレッシャ部材は、ドライブプレート及びドリブンプレートの数が多いと、その分だけ軸方向に移動させる距離も長くなってしまう。これに対して、本実施形態に係るクラッチ装置１００は、摩擦材４と受圧面２３とを離すだけでよい。このため、プレッシャ部材３を軸方向に移動させる距離を小さくすることができる。この結果、クラッチ装置１００を軸方向にコンパクト化することができる。
【００３１】
また、本実施形態に係るクラッチ装置１００では、受圧面２３の先端縁２３１が押圧面３１の先端縁３１１よりも軸方向の第１側に配置されている。このため、オイルが噴霧された状態の環境下においてクラッチ装置１００を使用した場合であっても、図３の矢印で示すように摩擦材４へオイルを十分に供給することができる。詳細に説明すると、オイルが噴霧された状態の環境下でクラッチ装置１００が回転すると、遠心力によってオイルが径方向外側へと飛ばされる。このため、径方向において受圧面２３と押圧面３１との間に配置された摩擦材４へオイルが十分に供給されなるおそれがある。しかしながら、上記実施形態に係るクラッチ装置１００では、受圧面２３の先端縁２３１が押圧面３１の先端縁３１１よりも軸方向の第１側に配置されているため、遠心力によって径方向外側へと飛ばされたオイルは受圧面２３に捕らえられる。そして、このオイルは、受圧面２３に沿って摩擦材４へと導かれる。このため、摩擦材４へオイルを十分に供給することができる。
【００３２】
［変形例］
以上、本発明の実施形態について説明したが、本発明はこれらに限定されるものではなく、本発明の趣旨を逸脱しない限りにおいて種々の変更が可能である。
【００３３】
（変形例１）
図４に示すように、クラッチハウジング２は、突出部２４をさらに有していてもよい。突出部２４は、受圧面２３の先端縁２３１から径方向内側に延びている。すなわち、突出部２４は、押圧面３１の先端縁３１１よりも軸方向の第１側に配置されている。突出部２４は、例えば、クラッチハウジング２の筒状部２２の先端部を径方向内側に折り曲げることによって形成される。なお、図５に示すように、突出部２４は、別部材によって構成されていてもよい。詳細には、クラッチハウジング２は、ガイド板２５をさらに有していてもよい。ガイド板２５は、筒状部２２の外周面に取り付けられており、ガイド板２５の先端部を折り曲げることによって、上記突出部２４を形成している。
【００３４】
（変形例２）
上記実施形態では、受圧面２３は、筒状部２２の内周面のみによって構成されているが、受圧面２３の構成は特にこれに限定されない。例えば、図６に示すように、受圧面２３は、筒状部２２の内周面と、ガイド部材２５の内周面とによって構成されていてもよい。この場合、受圧面２３の先端縁２３１は、ガイド部材２５に形成されている。なお、受圧面２３は軸方向の第１側に向かって径が小さくなるが、筒状部２２とガイド部材２５との境界において、受圧面２３の径は一旦大きくなっている。
【００３５】
（変形例３）
上記実施形態では、付勢部材６として皿バネを用いているが、皿バネの代わりにコイルスプリングを用いてもよい。
【符号の説明】
【００３６】
２    クラッチハウジング
２３    受圧面
２３１    先端縁
３    プレッシャ部材
３１    押圧面
３１１    先端縁
４    摩擦材
６    付勢部材
【図１】
2017061971.tif 000003
【図２】
2017061971.tif 000004
【図３】
2017061971.tif 000005
【図４】
2017061971.tif 000006
【図５】
2017061971.tif 000007
【図６】
2017061971.tif 000008